(57)【要約】【課題】光学系へのゴミの進入や変倍時の動作音が低減され、変倍域の全域での十分な明るさの確保と大きな変倍比の確保を行いつつも、小型で高い光学性能が維持されたズームレンズを提供すること。【解決手段】物体側から像側に順に、正屈折力の第１レンズ群と、負屈折力の第２レンズ群と、正屈折力の第３レンズ群と、負屈折力の第４レンズ群と、正屈折力の第５レンズ群と、を有し、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は正レンズを有し、以下の条件式（１）を満足する。  ７２＜ν3p＜１１０      （１）【選択図】図１
2014106243.tif 000002
【特許請求の範囲】
【請求項１】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、を有し、
前記第１レンズ群が、最も物体側に配置されたレンズ群であり、
前記第５レンズ群が、最も像側に配置されたレンズ群であり、
広角端から望遠端への変倍の際に、
前記第１レンズ群、前記第２レンズ群、前記第３レンズ群及び前記第４レンズ群は移動し、且つ、前記第５レンズ群は静止して、前記各レンズ群の間の距離が変化し、
前記第３レンズ群は正レンズを有し、
以下の条件式（１）を満足することを特徴とするズームレンズ。
７２＜ν3p＜１１０      （１）
ただし、
ν3pは、前記第３レンズ群中の前記正レンズのｄ線基準のアッベ数であり、前記第３レンズ群が複数の正レンズを含むときは、それらの正レンズのアッベ数の最大値、
である。
【請求項２】
以下の条件式（１−１）を満足することを特徴とする請求項１に記載のズームレンズ。
７５＜ν3p＜１１０      （１−１）
【請求項３】
以下の条件式（１−２）を満足することを特徴とする請求項２に記載のズームレンズ。
７７＜ν3p＜１１０      （１−２）
【請求項４】
前記第４レンズ群がフォーカシングの際に移動することを特徴とする請求項３に記載のズームレンズ。
【請求項５】
前記第４レンズ群は、合焦状態にて光軸方向に振動し、被写体までの距離が変化した際に、前記振動の幅よりも大きい距離移動にてフォーカシングを行うことを特徴とする請求項４に記載のズームレンズ。
【請求項６】
前記第３レンズ群は非球面のレンズ面を含むことを特徴とする請求項５に記載のズームレンズ。
【請求項７】
以下の条件式（２）、（３）を満足することを特徴とする請求項６に記載のズームレンズ。
０．４＜｜ｆ2｜／ＦＢ＜１．５      （２）
０．５＜ｆ3／ＦＢ＜１．８      （３）
ただし、
ｆ2は、前記第２レンズ群の焦点距離、
ｆ3は、前記第３レンズ群の焦点距離、
ＦＢは、ズームレンズにおいて最も像側に位置するレンズの像側面から像面までの空気換算距離、
である。
【請求項８】
以下の条件式（４）を満足することを特徴とする請求項７に記載のズームレンズ。
１．０＜｜ｆ4｜／ｆw＜５．０      （４）
ただし、
ｆ4は、前記第４レンズ群の焦点距離、
ｆwは、前記ズームレンズの広角端における焦点距離、
である。
【請求項９】
前記第３レンズ群は、第３レンズ群中の最も大きい軸上空間を挟んで物体側の物体側サブレンズ群と像側の像側サブレンズ群の２つのサブレンズ群からなり、
前記物体側サブレンズ群と前記像側サブレンズ群は共に正屈折力を持つことを特徴とする請求項８に記載のズームレンズ。
【請求項１０】
以下の条件式（５）、（６）、（７）を満足することを特徴とする請求項９に記載のズームレンズ。
１．４＜Ｄ3／ｆw＜２．１      （５）
０．１１＜ｄ(A)／Ｄ3＜０．５      （６）
０．５＜ｆ3f／ｆ3r＜２．３      （７）
ただし、
Ｄ3は、前記第３レンズ群の軸上での厚み、
ｄ(A)は、前記物体側サブレンズ群と前記像側レンズ群との間の軸上距離、
ｆ3fは、前記物体側サブレンズ群の焦点距離、
ｆ3rは、前記像側サブレンズ群の焦点距離、
である。
【請求項１１】
前記第１レンズ群は負レンズを有し、
以下の条件式（８）を満足することを特徴とする請求項１０に記載のズームレンズ。
１５＜ν1n＜３０      （８）
ただし、
ν1nは、前記第１レンズ群中の前記負レンズのｄ線基準のアッベ数であり、前記第１レンズ群が複数の負レンズを含むときは、それらの負レンズのアッベ数の最大値、
である。
【請求項１２】
前記第２レンズ群は正レンズを有し、
以下の条件式（９）を満足することを特徴とする請求項１１に記載のズームレンズ。
１．７０＜ｎ2p＜２．１５      （９）
ただし、
ｎ2pは、前記第２レンズ群中の前記正レンズのｄ線での屈折率であり、前記第２レンズ群が正レンズを複数含むときは、それらの正レンズの屈折率の最大値、
である。
【請求項１３】
以下の条件式（１０）、（１１）を満足することを特徴とする請求項１０に記載のズームレンズ。
０．５＜｜ｆ2｜／ｉh＜１．９      （１０）
０．７＜ｆ3／ｉh＜２．５      （１１）
ただし、
ｉhは、前記ズームレンズにおける像高の最大値、
である。
【請求項１４】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、を有し、
前記第１レンズ群が、最も物体側に配置されたレンズ群であり、
前記第５レンズ群が、最も像側に配置されたレンズ群であり、
広角端から望遠端への変倍の際に、
前記第１レンズ群、前記第２レンズ群、前記第３レンズ群及び前記第４レンズ群は移動し、且つ、前記第５レンズ群は静止して、前記各レンズ群の間の距離が変化し、
前記第３レンズ群は非球面のレンズ面を含み、
前記第４レンズ群がフォーカシングの際に移動し、
以下の条件式（２）、（３）を満足することを特徴とするズームレンズ。
０．４＜｜ｆ2｜／ＦＢ＜１．５      （２）
０．５＜ｆ3／ＦＢ＜１．８      （３）
ただし、
ｆ2は、前記第２レンズ群の焦点距離、
ｆ3は、前記第３レンズ群の焦点距離、
ＦＢは、ズームレンズにおいて最も像側に位置するレンズの像側面から像面までの空気換算距離、
である。
【請求項１５】
物体側から像側に順に、
正屈折力の第１レンズ群と、
負屈折力の第２レンズ群と、
正屈折力の第３レンズ群と、
負屈折力の第４レンズ群と、
正屈折力の第５レンズ群と、を有し、
前記第１レンズ群が、最も物体側に配置されたレンズ群であり、
前記第５レンズ群が、最も像側に配置されたレンズ群であり、
広角端から望遠端への変倍の際に、
前記第１レンズ群、前記第２レンズ群、前記第３レンズ群及び前記第４レンズ群は移動し、且つ、前記第５レンズ群は静止して、前記各レンズ群の間の距離が変化し、
前記第３レンズ群は非球面のレンズ面を含み、
前記第４レンズ群がフォーカシングの際に移動し、
以下の条件式（１０）、（１１）を満足することを特徴とするズームレンズ。
０．５＜｜ｆ2｜／ｉh＜１．９      （１０）
０．７＜ｆ3／ｉh＜２．５      （１１）
ただし、
ｆ2は、前記第２レンズ群の焦点距離、
ｆ3は、前記第３レンズ群の焦点距離、
ｉhは、前記ズームレンズにおける像高の最大値、
である。
【請求項１６】
以下の条件式（１−１）を満足することを特徴とする請求項１２又は１３に記載のズームレンズ。
７５＜ν3p＜１１０      （１−１）
ただし、
ν3pは、前記第３レンズ群中の前記正レンズのｄ線基準のアッベ数であり、前記第３レンズ群が複数の正レンズを含むときは、それらの正レンズのアッベ数の最大値、
である。
【請求項１７】
以下の条件式（１−２）を満足することを特徴とする請求項１６に記載のズームレンズ。
７７＜ν3p＜１１０      （１−２）
【請求項１８】
前記第４レンズ群がフォーカシングの際に移動することを特徴とする請求項１から１７のいずれか一項に記載のズームレンズ。
【請求項１９】
前記第４レンズ群は、合焦状態にて光軸方向に振動し、被写体までの距離が変化した際に、前記振動の幅よりも大きい距離移動にてフォーカシングを行うことを特徴とする請求項１８に記載のズームレンズ。
【請求項２０】
前記第３レンズ群は非球面のレンズ面を含むことを特徴とする請求項１から１９のいずれか一項に記載のズームレンズ。
【請求項２１】
以下の条件式（２）、（３）を満足することを特徴とする請求項１から２０のいずれか一項に記載のズームレンズ。
０．４＜｜ｆ2｜／ＦＢ＜１．５      （２）
０．５＜ｆ3／ＦＢ＜１．８      （３）
ただし、
ｆ2は、前記第２レンズ群の焦点距離、
ｆ3は、前記第３レンズ群の焦点距離、
ＦＢは、ズームレンズにおいて最も像側に位置するレンズの像側面から像面までの空気換算距離、
である。
【請求項２２】
前記第４レンズ群がフォーカシングの際に移動し、
以下の条件式（４）を満足することを特徴とする請求項１から２１のいずれか一項に記載のズームレンズ。
１．０＜｜ｆ4｜／ｆw＜５．０      （４）
ただし、
ｆ4は、前記第４レンズ群の焦点距離、
ｆwは、前記ズームレンズの広角端における焦点距離、
である。
【請求項２３】
前記第３レンズ群は、第３レンズ群中の最も大きい軸上空間を挟んで物体側の物体側サブレンズ群と像側の像側サブレンズ群の２つのサブレンズ群からなり、
前記物体側サブレンズ群と前記像側サブレンズ群は共に正屈折力を持つことを特徴とする請求項１から２２のいずれか一項に記載のズームレンズ。
【請求項２４】
以下の条件式（５）、（６）、（７）を満足することを特徴とする請求項２３に記載のズームレンズ。
１．４＜Ｄ3／ｆw＜２．１      （５）
０．１１＜ｄ(A)／Ｄ3＜０．５      （６）
０．５＜ｆ3f／ｆ3r＜２．３      （７）
ただし、
ｆwは、前記ズームレンズの広角端における焦点距離、
Ｄ3は、前記第３レンズ群の軸上での厚み、
ｄ(A)は、前記物体側サブレンズ群と前記像側レンズ群との間の軸上距離、
ｆ3fは、前記物体側サブレンズ群の焦点距離、
ｆ3rは、前記像側サブレンズ群の焦点距離、
である。
【請求項２５】
前記第３レンズ群の最も物体側のレンズ面と最も像側のレンズ面が、ともに非球面であることを特徴とする請求項２３又は２４に記載のズームレンズ。
【請求項２６】
前記第３レンズ群は、物体側から像側に順に、
第１正レンズ成分と、第２正レンズ成分と、物体側から負レンズと正レンズとの接合レンズ成分と、からなるか、もしくは、
第１正レンズ成分と、物体側から正レンズと負レンズとの接合レンズ成分と、第２正レンズ成分と、からなることを特徴とする請求項２３から２５のいずれか一項に記載のズームレンズ。
ここで、レンズ成分は、光路中にて物体側面と像側面のみが空気に接するレンズブロックである。
【請求項２７】
前記第１レンズ群は負レンズを有し、
以下の条件式（８）を満足することを特徴とする請求項１から２６のいずれか一項に記載のズームレンズ。
１５＜ν1n＜３０      （８）
ただし、
ν1nは、前記第１レンズ群中の前記負レンズのｄ線基準のアッベ数であり、前記第１レンズ群が複数の負レンズを含むときは、それらの負レンズのアッベ数の最大値、
である。
【請求項２８】
前記第２レンズ群は正レンズを有し、
以下の条件式（９）を満足することを特徴とする請求項１から２７のいずれか一項に記載のズームレンズ。
１．７０＜ｎ2p＜２．１５      （９）
ただし、
ｎ2pは、前記第２レンズ群中の前記正レンズのｄ線での屈折率であり、前記第２レンズ群が正レンズを複数含むときは、それらの正レンズの屈折率の最大値、
である。
【請求項２９】
以下の条件式（１０）、（１１）を満足することを特徴とする請求項１から２８のいずれか一項に記載のズームレンズ。
０．５＜｜ｆ2｜／ｉh＜１．９      （１０）
０．７＜ｆ3／ｉh＜２．５      （１１）
ただし、
ｆ2は、前記第２レンズ群の焦点距離、
ｆ3は、前記第３レンズ群の焦点距離、
ｉhは、前記ズームレンズにおける像高の最大値、
である。
【請求項３０】
以下の条件式（１２）、（１３）、（１４）を満足することを特徴とする請求項１から２９のいずれか一項に記載のズームレンズ。
１．７＜Ｆｎｏ(w)＜３．４      （１２）
２．３＜Ｆｎｏ(t)＜４．３      （１３）
２．７＜ｆt／ｆw＜７．０      （１４）
ただし、
Ｆｎｏ(w)は、前記ズームレンズの広角端におけるＦナンバーの最小値、
Ｆｎｏ(t)は、前記ズームレンズの望遠端におけるＦナンバーの最小値、
ｆwは、前記ズームレンズの広角端における焦点距離、
ｆtは、前記ズームレンズの望遠端における焦点距離、
である。
【請求項３１】
以下の条件式（１５）を満足することを特徴とする請求項１から３０のいずれか一項に記載のズームレンズ。
０．９＜ｆw／ｉh＜１．５      （１５）
ただし、
ｆwは、前記ズームレンズの広角端における焦点距離、
ｉhは、前記ズームレンズにおける像高の最大値、
である。
【請求項３２】
ズームレンズと、前記ズームレンズの像側に配置され、前記ズームレンズによる像を電気信号に変換する撮像素子と、を有し、
前記ズームレンズが請求項１から３１のいずれか一項に記載するズームレンズであることを特徴とする撮像装置。
【発明の詳細な説明】
【技術分野】
【０００１】
本発明は、ズームレンズ及びそれを備えた撮像装置に関する。
【背景技術】
【０００２】
従来、大口径標準ズームレンズとして、特許文献１や特許文献２に示されるようなズームレンズが知られている。特許文献１や特許文献２のズームレンズは、交換レンズとして用いられるズームレンズである。また、特許文献１や特許文献２のズームレンズでは、変倍域の全域にわたって所定の明るさを確保している。
【０００３】
特許文献１のズームレンズは、物体側からの屈折力配置が負・正・負・正・正の５群タイプのズームレンズである。特許文献１のズームレンズでは、変倍時に、第１レンズ群から第４レンズ群が移動し、第５レンズ群が静止している。ここで、光学系の保持枠を円筒とみなすと、第５レンズ群を静止させることで、円筒の一端において第５レンズ群が蓋のように作用する。そのため、第５レンズ群を静止させることは、光学系へのゴミの侵入の低減に有利となる。また、カメラ本体側にマイクを配置し、撮影時にこのマイクで周囲の音を録音することがある。このような場合、第５レンズ群を静止させることは、変倍時の動作音の低減にも有利となる。
【０００４】
また、フォーカシングについては、インナーフォーカス方式を採用している。具体的には、フォーカシング時に、第２レンズ群の一部のサブレンズ群を移動させている。
【０００５】
このような構成により、特許文献１のズームレンズでは、変倍時、焦点距離が２４ｍｍから５０ｍｍ程度まで変化し、Ｆナンバーが変倍域の全域で２．８程度になっている。
【０００６】
一方、特許文献２のズームレンズは、物体側からの屈折力配置が正・負・負・正の４群タイプのズームレンズである。そして、特許文献２のズームレンズでは、変倍時に、各レンズ群が移動する。
【０００７】
また、フォーカシングについては、いわゆるフローティング機構を用いた方式を採用している。具体的には、フォーカシング時に、第２レンズ群と第３レンズ群をそれぞれ独立に移動させている。
【０００８】
このような構成により、特許文献２のズームレンズでは、変倍時、焦点距離が１４ｍｍから３５ｍｍ程度まで変化し、Ｆナンバーが変倍域の全域で２．０程度になっている。なお、焦点距離１４ｍｍから３５ｍｍは、１３５フォーマット（通称ライカ判）に換算すると、焦点距離２８ｍｍから７０ｍｍになる。（特許文献２のズームレンズの画角は、焦点距離２８ｍｍから７０ｍｍ（１３５フォーマット換算時）に相当する画角になる。）
【先行技術文献】
【特許文献】
【０００９】
【特許文献１】特開２００７−９３９７６号公報
【特許文献２】特開２００８−１２２６７６号公報
【発明の概要】
【発明が解決しようとする課題】
【００１０】
特許文献１のズームレンズでは、第１レンズ群が負の屈折力を有するが、これは、変倍域の全域での十分な明るさの確保と大きな変倍比の確保の両立には不利となる。また、特許文献２のズームレンズでは、光学性能は良好であるが、光学系が全体的に大きい。また、変倍時に各レンズ群が移動するため、光学系へのゴミの侵入が生じやすく、変倍時に発生する動作音の低減が難しい。なお、十分な明るさの確保とは、光学系のＦナンバーを十分に小さくできているということである。
【００１１】
本発明は、光学系へのゴミの進入や変倍時の動作音が低減され、変倍域の全域での十分な明るさの確保と大きな変倍比の確保を行いつつも、小型で高い光学性能が維持されたズームレンズを提供することを目的とする。さらには、そのようなズームレンズを備えた撮像装置を提供することを目的とする。
【課題を解決するための手段】
【００１２】
上述した課題を解決し、目的を達成するために、本発明のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、を有し、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は正レンズを有し、以下の条件式（１）を満足することを特徴とする。
７２＜ν3p＜１１０      （１）
ただし、
ν3pは、第３レンズ群中の正レンズのｄ線基準のアッベ数であり、第３レンズ群が複数の正レンズを含むときは、それらの正レンズのアッベ数の最大値、
である。
【００１３】
また、本発明の別のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、を有し、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は非球面のレンズ面を含み、第４レンズ群がフォーカシングの際に移動し、以下の条件式（２）、（３）を満足することを特徴とする。
０．４＜｜ｆ2｜／ＦＢ＜１．５      （２）
０．５＜ｆ3／ＦＢ＜１．８      （３）
ただし、
ｆ2は、第２レンズ群の焦点距離、
ｆ3は、第３レンズ群の焦点距離、
ＦＢは、ズームレンズにおいて最も像側に位置するレンズの像側面から像面までの空気換算距離、
である。
【００１４】
また、本発明の別のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、を有し、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化し、第３レンズ群は非球面のレンズ面を含み、第４レンズ群がフォーカシングの際に移動し、以下の条件式（１０）、（１１）を満足することを特徴とする。
０．５＜｜ｆ2｜／ｉh＜１．９      （１０）
０．７＜ｆ3／ｉh＜２．５      （１１）
ただし、
ｆ2は、第２レンズ群の焦点距離、
ｆ3は、第３レンズ群の焦点距離、
ｉhは、ズームレンズにおける像高の最大値、
である。
【００１５】
また、本発明の撮像装置は、ズームレンズと、ズームレンズの像側に配置され、ズームレンズによる像を電気信号に変換する撮像素子と、を有し、ズームレンズが上記のいずれかのズームレンズであることを特徴とする。
【発明の効果】
【００１６】
本発明によれば、光学系へのゴミの進入や変倍時の動作音が低減され、変倍域の全域での十分な明るさの確保と大きな変倍比の確保を行いつつも、小型で高い光学性能が維持されたズームレンズを提供できる。さらには、そのようなズームレンズを備えた撮像装置を提供できる。
【図面の簡単な説明】
【００１７】
【図１】本発明のズームレンズの実施例１の無限遠物点合焦時の広角端（ａ）、中間（ｂ）、望遠端（ｃ）でのレンズ断面図である。
【図２】本発明のズームレンズの実施例２の無限遠物点合焦時の広角端（ａ）、中間（ｂ）、望遠端（ｃ）でのレンズ断面図である。
【図３】本発明のズームレンズの実施例３の無限遠物点合焦時の広角端（ａ）、中間（ｂ）、望遠端（ｃ）でのレンズ断面図である。
【図４】本発明のズームレンズの実施例４の無限遠物点合焦時の広角端（ａ）、中間（ｂ）、望遠端（ｃ）でのレンズ断面図である。
【図５】本発明のズームレンズの実施例５の無限遠物点合焦時の広角端（ａ）、中間（ｂ）、望遠端（ｃ）でのレンズ断面図である。
【図６】本発明のズームレンズの実施例６の無限遠物点合焦時の広角端（ａ）、中間（ｂ）、望遠端（ｃ）でのレンズ断面図である。
【図７】本発明のズームレンズの実施例７の無限遠物点合焦時の広角端（ａ）、中間（ｂ）、望遠端（ｃ）でのレンズ断面図である。
【図８】実施例１の無限遠物点合焦時の収差図である。
【図９】実施例１の近距離物点合焦時の収差図である。
【図１０】実施例２の無限遠物点合焦時の収差図である。
【図１１】実施例２の近距離物点合焦時の収差図である。
【図１２】実施例３の無限遠物点合焦時の収差図である。
【図１３】実施例３の近距離物点合焦時の収差図である。
【図１４】実施例４の無限遠物点合焦時の収差図である。
【図１５】実施例４の近距離物点合焦時の収差図である。
【図１６】実施例５の無限遠物点合焦時の収差図である。
【図１７】実施例５の近距離物点合焦時の収差図である。
【図１８】実施例６の無限遠物点合焦時の収差図である。
【図１９】実施例６の近距離物点合焦時の収差図である。
【図２０】実施例７の無限遠物点合焦時の収差図である。
【図２１】実施例７の近距離物点合焦時の収差図である。
【図２２】本発明によるズームレンズを撮影光学系として用いたレンズ交換式カメラの断面図である。
【図２３】レンズ交換式カメラの概観を示す前方斜視図である。
【図２４】レンズ交換式カメラの後方斜視図である。
【図２５】レンズ交換式カメラの主要部の内部回路の構成ブロック図である。
【発明を実施するための形態】
【００１８】
以下に、本発明に係るズームレンズ及びこのズームレンズを備えた撮像装置の実施形態及び実施例を、図面に基づいて詳細に説明する。なお、この実施形態及び実施例によりこの発明が限定されるものではない。
【００１９】
まず、本実施形態のズームレンズにおける基本構成を説明する。基本構成では、物体側から像側に順に、正屈折力の第１レンズ群と、負屈折力の第２レンズ群と、正屈折力の第３レンズ群と、負屈折力の第４レンズ群と、正屈折力の第５レンズ群と、を有し、第１レンズ群が、最も物体側に配置されたレンズ群であり、第５レンズ群が、最も像側に配置されたレンズ群であり、広角端から望遠端への変倍の際に、第１レンズ群、第２レンズ群、第３レンズ群及び第４レンズ群は移動し、且つ、第５レンズ群は静止して、各レンズ群の間の距離が変化する。
【００２０】
ズームレンズには、広角端での広い画角や、変倍域の全域での十分な明るさの確保と大きな変倍比の確保との両立が要求される。このような要求を実現するためには、広角端付近での軸外収差と、望遠端付近での軸上収差の補正とが必要となる。そこで、本実施形態のズームレンズの基本構成においては、物体側から像側へ向かって、屈折力配置を、正・負・正・負・正としている。このように、屈折力配置を対称とすることで、広角端から望遠端までの変倍域の全域で諸収差の低減が容易となり、また、十分な明るさの確保と大きな変倍比の確保ができる。
【００２１】
また、第４レンズ群が負屈折力を持ち、第５レンズ群が正屈折力を持つことで、射出瞳を像面から離しやすくなると共に、ズームレンズの全長を短縮しやすくなる。更に、変倍の際、第５レンズ群を静止させているが、このようにすることは、光学系へのゴミの進入や変倍時に発生する動作音の低減に有利となる。
【００２２】
本実施形態のズームレンズは、上述の基本構成を備えた上で、以下の構成のいずれかを満足することが好ましい。
【００２３】
第１実施形態のズームレンズでは、第３レンズ群は正レンズを有し、以下の条件式（１）を満足することが好ましい。
７２＜ν3p＜１１０      （１）
ただし、
ν3pは、第３レンズ群中の正レンズのｄ線基準のアッベ数であり、第３レンズ群が複数の正レンズを含むときは、それらの正レンズのアッベ数の最大値、
である。
【００２４】
条件式（１）は、望遠端付近における軸上色収差の補正に有利となる条件式である。条件式（１）を満たすことは、色ずれの少ない良好な像の形成に有利となる。その結果、撮像素子等で被写体を撮像しても、色ずれの少ない良好な画像が得られる。
【００２５】
条件式（１）下限を下回らないようにすることで、色収差、特に軸上色収差の補正が有利に行なえるため、シャープな像が得られる。その結果、撮像素子等で被写体を撮像しても、シャープな画像を得やすくなる。なお、収差の補正が有利に行なえるとは、収差を良好に補正できる（収差を十分に小さくできる）ということである。一方、条件式（１）の上限を上回らないようにすることで、実用的な硝材を使った色収差の補正ができる。実用的な硝材を選択することは、コスト低減の面で好ましい。
【００２６】
第２実施形態のズームレンズでは、第３レンズ群は非球面のレンズ面を含み、第４レンズ群がフォーカシングの際に移動し、以下の条件式（２）、（３）を満足することが好ましい。
０．４＜｜ｆ2｜／ＦＢ＜１．５      （２）
０．５＜ｆ3／ＦＢ＜１．８      （３）
ただし、
ｆ2は、第２レンズ群の焦点距離、
ｆ3は、第３レンズ群の焦点距離、
ＦＢは、ズームレンズにおいて最も像側に位置するレンズの像側面から像面までの空気換算距離、
である。
【００２７】
変倍の際、第５レンズ群は静止しているため、バックフォーカスは変倍によって変化しない。バックフォーカスを適度に短い値とすることで、光学性能を高めつつレンズ全長の小型化に有利となる。また、バックフォーカスを適度に確保することで、ズームレンズを交換レンズとして使用する際に、レンズとカメラ本体との干渉を防止できる。クイックリターンミラーのないレンズ交換式カメラ装置に本ズームレンズを使用することを想定すると、上述の条件式（２）、（３）を満足することが好ましい。
【００２８】
条件式（２）と条件式（３）の下限を下回らないようにすることで、第２レンズ群や第３レンズ群における屈折力の増大を適度に抑えられる。よって、このようにすることは、収差補正に有利となり、また、十分な明るさの確保やレンズ枚数の低減につながる。一方、条件式（２）と条件式（３）の上限を上回らないようにすることで、第２レンズ群や第３レンズ群における屈折力の不足を防止できる。このようにすることで、変倍時に移動するレンズ群の移動量を低減できるので、ズームレンズの全長を短縮できる。なお、ＦＢはバックフォーカスとすることができる。
【００２９】
第３実施形態のズームレンズでは、第３レンズ群は非球面のレンズ面を含み、第４レンズ群がフォーカシングの際に移動し、以下の条件式（１０）、（１１）を満足することが好ましい。
０．５＜｜ｆ2｜／ｉh＜１．９      （１０）
０．７＜ｆ3／ｉh＜２．５      （１１）
ただし、
ｆ2は、第２レンズ群の焦点距離、
ｆ3は、第３レンズ群の焦点距離、
ｉhは、ズームレンズにおける像高の最大値、
である。
【００３０】
条件式（１０）と条件式（１１）の下限を下回らないようにすることで、第２レンズ群や第３レンズ群における屈折力の増大を適度に抑えられる。よって、このようにすることは、収差補正に有利となり、また、十分な明るさの確保やレンズ枚数の低減につながる。一方、条件式（１０）と条件式（１１）の上限を上回らないようにすることで、第２レンズ群や第３レンズ群における屈折力の不足を防止できる。このようにすることで、変倍時に移動するレンズ群の移動量を低減できるので、ズームレンズの全長を短縮できる。
【００３１】
また、第１〜３実施形態のズームレンズ（以下、本実施形態のズームレンズとする）では、以下の条件式（１−１）、更には（１−２）を満足することがより好ましい。
７５＜ν3p＜１１０      （１−１）
７７＜ν3p＜１１０      （１−２）
【００３２】
また、本実施形態のズームレンズでは、第４レンズ群がフォーカシングの際に移動することが好ましい。
【００３３】
このようにすることで、本実施形態のズームレンズにおけるフォーカス方式を、インナーフォーカス方式にした上で、フォーカシングに伴う収差変動も補正しやすくなる。
【００３４】
また、本実施形態のズームレンズでは、光学系の構成を十分な明るさが確保できる構成にすることで、他のレンズ群の有効口径と比較して、第４レンズ群の有効口径を小さくできる。そのため、第４レンズ群をフォーカシングレンズ群にすることで、フォーカシングレンズ群の小型化と軽量化が可能となる。このようにすることは、ズームレンズを明るさが十分に確保された光学系としつつも、フォーカシング時に発生する動作音（レンズの移動音や駆動装置の駆動音）の低減等に有利となる。また、変倍時に加えて、フォーカシング時にも第５レンズ群が静止するので、フォーカシング時に発生する動作音がカメラのボディ側へ漏れたとしても、漏れ量（漏れる音量）を少なくできる。よって、第４レンズ群をフォーカシングの際に移動させることは、動作音の漏れ量の低減に有利となる。
【００３５】
また、本実施形態のズームレンズでは、第４レンズ群は、合焦状態にて光軸方向に振動し、被写体までの距離が変化した際に、振動の幅よりも大きい距離移動にてフォーカシングを行うことが好ましい。
【００３６】
一般に、動画撮影においては、常時フォーカシングを行なって、被写体に合焦した状態を維持しておく必要がある。合焦した状態を維持する方法として、フォーカシングレンズ群を合焦位置の前後で、常に、光軸方向に微小量振動させる方法がある。この微小量の振動は、ウォブリングと言われる。ウォブリングによって、画像のコントラストの変化が測定できるので、コントラストの変化から合焦状態の変化（合焦しているか否か）を把握できる。そして、合焦していない（ピントが外れた）と判断された場合には、フォーカシングレンズ群を適切に移動させることで、再度、合焦した状態にすることが可能となる。
【００３７】
ウォブリングでは、動作（振動）の速さは撮像装置のフレームレートに応じて異なるが、非常に高速な動作が必要とされる。ここで、上述のように、第４レンズ群は他のレンズ群に比べて小型化や軽量化がしやすい。そのため、第４レンズ群を光軸方向に振動させることは、ウォブリングにおける適切な駆動制御や、ウォブリングに伴って発生する駆動音の低減に有利となる。
【００３８】
また、本実施形態のズームレンズでは、第３レンズ群は非球面のレンズ面を含むことが好ましい。
【００３９】
第３レンズ群が非球面のレンズ面を含むことは、望遠端付近における球面収差の補正に有利となる。
【００４０】
また、本実施形態のズームレンズでは、以下の条件式（２）、（３）を満足することが好ましい。
０．４＜｜ｆ2｜／ＦＢ＜１．５      （２）
０．５＜ｆ3／ＦＢ＜１．８      （３）
ただし、
ｆ2は、第２レンズ群の焦点距離、
ｆ3は、第３レンズ群の焦点距離、
ＦＢは、ズームレンズにおいて最も像側に位置するレンズの像側面から像面までの空気換算距離、
である。
【００４１】
条件式（２）と条件式（３）の技術的意義は、上述のとおりである。
【００４２】
また、本実施形態のズームレンズでは、以下の条件式（４）を満足することが好ましい。
１．０＜｜ｆ4｜／ｆw＜５．０      （４）
ただし、
ｆ4は、第４レンズ群の焦点距離、
ｆwは、ズームレンズの広角端における焦点距離、
である。
【００４３】
条件式（４）の下限を下回らないように第４レンズ群における屈折力の増大を抑えることで、収差補正を行いやすくなる。よって、このようにすることは、第４レンズ群のレンズ枚数の低減等に有利となる。一方、条件式（４）の上限を上回らないように第４レンズ群において屈折力を適切に確保することで、第４レンズ群のフォーカシング移動量を短くできる。よって、このようにすることは、ズームレンズの小型化やフォーカシングの高速化に有利となる。
【００４４】
また、本実施形態のズームレンズでは、第３レンズ群は、第３レンズ群中の最も大きい軸上空間を挟んで物体側の物体側サブレンズ群と像側の像側サブレンズ群の２つのサブレンズ群からなり、物体側サブレンズ群と像側サブレンズ群は共に正屈折力を持つことが好ましい。
【００４５】
本実施形態のズームレンズでは、隣り合うレンズの軸上間隔が最も広くなる箇所を境にして第３レンズ群を２つのサブレンズ群（物体側サブレンズ群と像側サブレンズ群）に分け、それぞれのサブレンズ群の屈折力を正にすることが好ましい。このようにすることで、球面収差やコマ収差を良好に補正できる。
【００４６】
また、本実施形態のズームレンズでは、以下の条件式（５）、（６）、（７）を満足することが好ましい。
１．４＜Ｄ3／ｆw＜２．１      （５）
０．１１＜ｄ(A)／Ｄ3＜０．５      （６）
０．５＜ｆ3f／ｆ3r＜２．３      （７）
ただし、
ｆwは、ズームレンズの広角端における焦点距離、
Ｄ3は、第３レンズ群の軸上での厚み、
ｄ(A)は、物体側サブレンズ群と像側レンズ群との間の軸上距離、
ｆ3fは、物体側サブレンズ群の焦点距離、
ｆ3rは、像側サブレンズ群の焦点距離、
である。
【００４７】
条件式（５）、（６）、（７）は、第３レンズ群における球面収差の補正とコマ収差の補正を両立させやすくする条件式である。
【００４８】
条件式（５）の下限を下回らないようにして第３レンズ群の厚みを適切に確保することで、コマ収差に対する像側サブレンズ群での補正機能を十分に確保できる。一方、条件式（５）の上限を上回らないようにすることで、第３レンズ群の光軸上での厚みの増大を抑えられる。よって、このようにすることは、ズームレンズの小型化につながる。
【００４９】
条件式（６）の下限を下回らないようすることで、物体側サブレンズ群と像側サブレンズ群との距離を適切に確保できる。このようにすることは、コマ収差に対する像側サブレンズ群での補正機能の十分な確保に有利となり、また、第３レンズ群の軽量化にもつながる。一方、条件式（６）の上限を上回らないようにすることで、第３レンズ群の光軸上での厚みの増大を抑えられる。よって、このようにすることは、ズームレンズの小型化につながる。
【００５０】
条件式（７）は、第３レンズ群の正屈折力を物体側サブレンズ群と像側サブレンズ群で分担するにあたり、好ましい屈折力配分を特定するものである。条件式（７）を満足することで、第３レンズ群が偏心した際の光学性能の劣化を低減（防止）しやすくなる。
【００５１】
条件式（７）の下限を下回らないようにして、物体側サブレンズ群に正屈折力が大きく偏らないようにすることで、物体側サブレンズ群で発生する収差を低減しやすくなり、また、レンズ枚数の増加が抑えられる。よって、このようにすることは、ズームレンズの小型化や、コスト低減に有利となる。一方、条件式（７）の上限を上回らないようにして、物体側サブレンズ群の正屈折力を適度に確保することで、物体側サブレンズ群における収斂作用を十分に確保でき、また、像側サブレンズ群で発生する収差を低減しやすくなる。よって、このようにすることは、像側サブレンズ群や第４レンズ群の小型化につながり、また、第３レンズ群の厚みの低減やレンズ枚数の低減に有利となる。
【００５２】
また、本実施形態のズームレンズでは、第３レンズ群の最も物体側のレンズ面と最も像側のレンズ面が、ともに非球面であることが好ましい。
【００５３】
第２レンズ群の屈折力は負であるため、第２レンズ群から出射した軸上光束は発散した光束になる。そして、この発散した光束が第３レンズ群に入射する。そのため、第３レンズ群中の物体側サブレンズ群では、軸上光束の径が大きくなる。そこで、第３レンズ群の最も物体側のレンズ面、すなわち物体側サブレンズ群の物体側面を非球面にすることは、球面収差の補正に有利となる。
【００５４】
一方、物体側サブレンズ群から出射した軸上光束と軸外光束は、互いが分離しながら像側サブレンズ群に入射する。そのため、像側サブレンズ群では、軸上光束の中心と軸外光束の中心が適度に分離する。そこで、第３レンズ群の最も像側のレンズ面、すなわち、像側サブレンズ群の像側面を非球面にすることは、コマ収差の補正に有利となる。
【００５５】
また、本実施形態のズームレンズでは、第３レンズ群は、物体側から像側に順に、第１正レンズ成分と、第２正レンズ成分と、物体側から負レンズと正レンズとの接合レンズ成分と、からなるか、もしくは、第１正レンズ成分と、物体側から正レンズと負レンズとの接合レンズ成分と、第２正レンズ成分と、からなることが好ましい。ここで、レンズ成分は、光路中にて物体側面と像側面のみが空気に接するレンズブロックである。
【００５６】
このようにすることは、ズームレンズの小型化と高い光学結像性能の確保の両立に有利となる。なお、レンズ成分は、具体的には、単レンズ、接合レンズ等のハイブリッドレンズである。
【００５７】
また、本実施形態のズームレンズでは、第１レンズ群は負レンズを有し、以下の条件式（８）を満足することが好ましい。
１５＜ν1n＜３０      （８）
ただし、
ν1nは、第１レンズ群中の負レンズのｄ線基準のアッベ数であり、第１レンズ群が複数の負レンズを含むときは、それらの負レンズのアッベ数の最大値、
である。
【００５８】
条件式（８）は、広角端付近における倍率色収差を良好に補正するための好ましい条件式である。
【００５９】
条件式（８）の下限を下回らないようにすることで、実用的な硝材となる。実用的な硝材を選択することは、コスト低減の面で好ましい。一方、条件式（８）の上限を上回らないようにすることは、広角端付近における短波長側の倍率色収差の補正に有利となる。
【００６０】
また、本実施形態のズームレンズでは、第２レンズ群は正レンズを有し、以下の条件式（９）を満足することが好ましい。
１．７０＜ｎ2p＜２．１５      （９）
ただし、
ｎ2pは、第２レンズ群中の正レンズのｄ線での屈折率であり、第２レンズ群が正レンズを複数含むときは、それらの正レンズの屈折率の最大値、
である。
【００６１】
条件式（９）は、ペッツバール和を適切に保つ（適切な値にする）ために有利となる条件式である。そのためには、第２レンズ群中に正レンズを配置し、この正レンズに屈折率の高い硝材を用いることが望ましい。
【００６２】
条件式（９）の下限を下回らないようにして高い屈折率を確保することは、像面湾曲の低減に有利となり、また、像高の高い部分での結像性能の向上に有利となる。よって、このようにすることは、撮像素子等で被写体を撮像したときに、画像の周辺部分の画質向上に有利となる。一方、条件式（９）の上限を上回らないようにすることで、実用的な硝材となる。実用的な硝材を選択することは、コスト低減の面で好ましい。
【００６３】
また、本実施形態のズームレンズでは、以下の条件式（１０）、（１１）を満足することが好ましい。
０．５＜｜ｆ2｜／ｉh＜１．９      （１０）
０．７＜ｆ3／ｉh＜２．５      （１１）
ただし、
ｆ2は、第２レンズ群の焦点距離、
ｆ3は、第３レンズ群の焦点距離、
ｉhは、ズームレンズにおける像高の最大値、
である。
【００６４】
条件式（１０）と条件式（１１）の技術的意義は、上述のとおりである。
【００６５】
また、本実施形態のズームレンズでは、以下の条件式（１２）、（１３）、（１４）を満足することが好ましい。
１．７＜Ｆｎｏ(w)＜３．４      （１２）
２．３＜Ｆｎｏ(t)＜４．３      （１３）
２．７＜ｆt／ｆw＜７．０      （１４）
ただし、
Ｆｎｏ(w)は、ズームレンズの広角端におけるＦナンバーの最小値、
Ｆｎｏ(t)は、ズームレンズの望遠端におけるＦナンバーの最小値、
ｆwは、ズームレンズの広角端における焦点距離、
ｆtは、ズームレンズの望遠端における焦点距離、
である。
【００６６】
条件式（１２）、（１３）の下限を下回らず、条件式（１４）の上限を上回らないようにすることは、ズームレンズの小型化に有利となる。一方、条件式（１２）、（１３）の上限を上回らないようにすることは、被写体が暗い場所あっても明るい像を得る上で有利となる。よって、このようにすることは、暗い場所にある被写体を撮像素子等で撮像したときに、画像に重畳するノイズを低減する上で有利となる。また、条件式（１４）の下限値を下回らないようにして、高い変倍比を確保することで、種々の撮影シーンについて対応しやすくなる（種々のシーンの撮影に使用できるズームレンズを実現できる）。
【００６７】
また、本実施形態のズームレンズでは、以下の条件式（１５）を満足することが好ましい。
０．９＜ｆw／ｉh＜１．５      （１５）
ただし、
ｆwは、ズームレンズの広角端における焦点距離、
ｉhは、ズームレンズにおける像高の最大値、
である。
【００６８】
条件式（９）の下限を下回らず、上限を上回らないようにすることで、歪曲収差などの軸外収差を抑えつつも広画角での撮影が可能なズームレンズとなる。
【００６９】
また、本実施形態の撮像装置は、ズームレンズと、ズームレンズの像側に配置され、ズームレンズによる像を電気信号に変換する撮像素子を有し、ズームレンズが上述のいずれかのズームレンズであることを特徴とする。
【００７０】
このようにすることで、変倍時や合焦時の動作音が小さく、暗い場所で撮影したときの画像のノイズが少なく、小型で高い光学性能が維持された撮像装置を提供できる。
【００７１】
なお、各構成要件は個別に組み合わせても良い。また、条件式も個別に特定してよい。
【００７２】
各条件式について、上限値や下限値を以下のようにすることは、効果をより確実に発揮できるので好ましい。
条件式（１）について
下限値を７５、更には７７、更には８０とすることがより好ましい。
上限値を１００、更には９０とすることがより好ましい。
条件式（２）について
下限値を０．５５、更には０．７とすることがより好ましい。
上限値を１．３、更には１．２とすることがより好ましい。
条件式（３）について
下限値を０．８、更には１．１とすることがより好ましい。
上限値を１．７、更には１．６とすることがより好ましい。
条件式（４）について
下限値を１．３、更には１．６とすることがより好ましい。
上限値を４．５とすることがより好ましい。
条件式（５）について
下限値を１．５、更には１．６とすることがより好ましい。
上限値を２．０とすることがより好ましい。
条件式（６）について
下限値を０．１３とすることがより好ましい。
上限値を０．４５とすることがより好ましい。
条件式（７）について
下限値を０．６とすることがより好ましい。
上限値を２．０、更には１．７とすることがより好ましい。
条件式（８）について
下限値を１８とすることがより好ましい。
上限値を２８、更には２６とすることがより好ましい。
条件式（９）について
下限値を１．７５とすることがより好ましい。
上限値を２．１とすることがより好ましい。
条件式（１０）について
下限値を０．８、更には１．０とすることがより好ましい。
上限値を１．７、更には１．６とすることがより好ましい。
条件式（１１）について
下限値を１．１、更には１．５とすることがより好ましい。
上限値を２．３、更には２．１とすることがより好ましい。
条件式（１２）について
下限値を１．９、更には２．３とすることがより好ましい。
上限値を３．２、更には３．０とすることがより好ましい。
条件式（１３）について
下限値を２．７とすることがより好ましい。
上限値を４．１、更には３．６とすることがより好ましい。
条件式（１４）について
下限値を３．０とすることがより好ましい。
上限値を６．０、更には５．０とすることがより好ましい。
条件式（１５）について
下限値を１．０、更には１．１とすることがより好ましい。
上限値を１．３とすることがより好ましい。
【００７３】
なお、上述のズームレンズや撮像装置は、複数の構成を同時に満足してもよい。このようにすることが、高い光学性能を持つズームレンズや撮像装置を得る上で好ましい。また、好ましい構成の組み合わせは任意である。また、各条件式について、より限定した条件式の数値範囲の上限値あるいは下限値のみを限定しても構わない。
【００７４】
以下に、本発明に係るズームレンズの実施例を、図面に基づいて詳細に説明する。なお、この実施例によりこの発明が限定されるものではない。
【００７５】
以下の各実施例のズームレンズは標準ズームレンズ、特に交換レンズシステム用途として最適な、大口径で高性能な標準ズームレンズとなっている。
【００７６】
実施例１〜７のズームレンズは、１３５フォーマット換算で焦点距離２４ｍｍ相当の広い画角を有し、また、広角端でのＦナンバーが２．８となっている。なお、実施例１から６のズームレンズでは、望遠端でもＦナンバーが２．８となっている。また、何れの実施例のズームレンズも、広角端付近での軸外収差や望遠側付近での軸上収差が良好に補正されており、良好な光学性能を維持している。
【００７７】
以下、ズームレンズの実施例１〜７について説明する。実施例１〜７のレンズ断面図を、それぞれ図１〜図７に示す。図１〜図７中、（ａ）は広角端、（ｂ）は中間焦点距離状態、（ｃ）は望遠端におけるレンズ断面図である。なお、（ａ）、（ｂ）及び（ｃ）は、いずれも、無限遠物体合焦時のレンズ断面図である。
【００７８】
第１レンズ群はＧ１、第２レンズ群はＧ２、開口絞り（明るさ絞り）はＳ、第３レンズ群はＧ３、第４レンズ群はＧ４、第５レンズ群はＧ５、電子撮像素子のカバーガラスの平行平板はＣ、像面はＩで示してある。また、カバーガラスＣの表面に波長域制限用の多層膜を施してもよい。また、そのカバーガラスＣにローパスフィルタ作用を持たせるようにしてもよい。
【００７９】
全ての実施例において、ズームレンズは、物体側より順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５から構成されている。開口絞り（絞り）Ｓは、第２レンズ群Ｇ２と第３レンズ群Ｇ３との間（第３レンズ群Ｇ３の物体側面の近傍）に配置されている。
【００８０】
また、全ての実施例において、広角端から望遠端への変倍に際し、第１レンズ群Ｇ１と第２レンズ群Ｇ２との間隔は増加し、第２レンズ群Ｇ２と第３レンズ群Ｇ３との間隔は減少する。第３レンズ群Ｇ３と第４レンズ群Ｇ４との間隔は、実施例２と実施例７では増加した後、減少に転ずるが、他の実施例においては増加する。また、全ての実施例において、第４レンズ群Ｇ４と第５レンズ群Ｇ５との間隔は増加する。
【００８１】
また、全ての実施例において、フォーカシングの方式は、第４レンズ群Ｇ４にてウォブリングとフォーカシングを行うインナーフォーカス方式となっている。第４レンズ群Ｇ４は軽量であるため、全ての実施例において、第４レンズ群Ｇ４を像側へ移動することで、無限遠物点から近距離物点へのフォーカシングを行う。軽量な第４レンズ群Ｇ４の移動により、全ての実施例において、駆動音（ノイズ）の低減やフォーカシングの高速化を達成している。
【００８２】
実施例１のズームレンズを図１に示す。第１レンズ群Ｇ１は、物体側に凸面を向けた負メニスカスレンズＬ１と、平凸正レンズＬ２と、物体側に凸面を向けた正メニスカスレンズＬ３と、で構成されている。ここで、負メニスカスレンズＬ１と平凸正レンズＬ２とが接合されている。
【００８３】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、で構成されている。
【００８４】
第３レンズ群Ｇ３は、両凸正レンズＬ８と、物体側に凸面を向けた正メニスカスレンズＬ９と、物体側に凸面を向けた負メニスカスレンズＬ１０と、両凸正レンズＬ１１と、で構成されている。ここで、正メニスカスレンズＬ９と負メニスカスレンズＬ１０とが接合されている。
【００８５】
第４レンズ群Ｇ４は、像側に凸面を向けた負メニスカスレンズＬ１２と、両凹負レンズＬ１３と、で構成されている。ここで、負メニスカスレンズＬ１２と両凹負レンズＬ１３とが接合されている。
【００８６】
第５レンズ群Ｇ５は、両凸正レンズＬ１４と、両凸正レンズＬ１５と、両凹負レンズＬ１６と、で構成されている。ここで、両凸正レンズＬ１５と両凹負レンズＬ１６とが接合されている。
【００８７】
非球面は、負メニスカスレンズＬ４の両面と、両凸正レンズＬ８の両面と、両凸正レンズＬ１１の両面との、合計６面に設けられている。
【００８８】
広角端から望遠端への変倍に際し、第１レンズ群Ｇ１は物体側に移動する。第２レンズ群Ｇ２は像側に移動した後、物体側に移動する。第３レンズ群Ｇ３と第４レンズ群Ｇ４は像側に移動する。第５レンズ群Ｇ５は像面に対して固定となっている（静止している）。
【００８９】
無限遠にある物体から近距離にある物体への合焦時、第４レンズ群Ｇ４が、光軸に沿って像側に移動する。この時、他のレンズ群は静止している。
【００９０】
なお、以下の実施例２〜７の説明において、変倍時とは、広角端から望遠端への変倍、を意味し、合焦時とは、無限遠にある物体から近距離にある物体への合焦、を意味する。
【００９１】
実施例２のズームレンズを図２に示す。実施例１のズームレンズとの相違点は、以下のとおりである。
【００９２】
第１レンズ群Ｇ１では、レンズＬ２が、物体側に凸面を向けた正メニスカスレンズになっている。
【００９３】
第２レンズ群Ｇ２の構成については、相違点はない。
【００９４】
第３レンズ群Ｇ３では、レンズＬ９が両凸正レンズ、レンズＬ１０が両凹負レンズになっている。
【００９５】
第４レンズ群Ｇ４は、物体側に凸面を向けた負メニスカスレンズＬ１２のみで構成されている。
【００９６】
第５レンズ群Ｇ５は、平凸正レンズＬ１３のみで構成されている。
【００９７】
非球面は、実施例１と同じレンズに設けられている。
【００９８】
変倍時と合焦時における各レンズ群の動きは、実施例１のズームレンズと同じである。
【００９９】
実施例３のズームレンズを図３に示す。第１レンズ群Ｇ１は、物体側に凸面を向けた負メニスカスレンズＬ１と、物体側に凸面を向けた正メニスカスレンズＬ２と、で構成されている。ここで、負メニスカスレンズＬ１と正メニスカスレンズＬ２とが接合されている。
【０１００】
第２レンズ群Ｇ２は、物体側に凸面を向けた負メニスカスレンズＬ３と、両凹負レンズＬ４と、両凸正レンズＬ５と、像側に凸面を向けた負メニスカスレンズＬ６と、で構成されている。ここで、両凹負レンズＬ４と両凸正レンズＬ５とが接合されている。
【０１０１】
第３レンズ群Ｇ３は、両凸正レンズＬ７と、両凸正レンズＬ８と、物体側に凸面を向けた負メニスカスレンズＬ９と、両凸正レンズＬ１０と、で構成されている。ここで、負メニスカスレンズＬ９と両凸正レンズＬ１０とが接合されている。
【０１０２】
第４レンズ群Ｇ４は、物体側に凸面を向けた負メニスカスレンズＬ１１と、物体側に凸面を向けた正メニスカスレンズＬ１２と、で構成されている。ここで、負メニスカスレンズＬ１１と正メニスカスレンズＬ１２とが接合されている。
【０１０３】
第５レンズ群Ｇ５は、両凸正レンズＬ１３で構成されている。
【０１０４】
非球面は、負メニスカスレンズＬ３の両面と、両凸正レンズＬ７の両面と、両凸正レンズＬ１０の像側面と、負メニスカスレンズＬ１１の物体側面との、合計６面に設けられている。
【０１０５】
変倍時と合焦時における各レンズ群の動きは、実施例１のズームレンズと同じである。
【０１０６】
実施例４のズームレンズを図４に示す。実施例３のズームレンズとの相違点は、以下のとおりである。
【０１０７】
第１レンズ群Ｇ１から第４レンズ群Ｇ４までについては、相違点はない。
【０１０８】
第５レンズ群Ｇ５は、物体側に凸面を向けた負メニスカスレンズＬ１３と、両凸正レンズＬ１４と、で構成されている。ここで、負メニスカスレンズＬ１３と、両凸正レンズＬ１４とが接合されている。
【０１０９】
非球面は、実施例３と同じレンズに設けられている。
【０１１０】
変倍時と合焦時における各レンズ群の動きは、実施例１のズームレンズと同じである。
【０１１１】
実施例５のズームレンズを図５に示すように、各レンズ群の構成は実施例４のズームレンズと同じである。
【０１１２】
非球面は、実施例４と同じレンズに設けられている。
【０１１３】
変倍時と合焦時における各レンズ群の動きは、実施例１のズームレンズと同じである。
【０１１４】
実施例６のズームレンズを図６に示す。実施例３のズームレンズとの相違点は、以下のとおりである。
【０１１５】
第１レンズ群Ｇ１については、相違点はない。
【０１１６】
第２レンズ群Ｇ２では、両凹負レンズＬ４と両凸正レンズＬ５は接合されていない。
【０１１７】
第３レンズ群Ｇ３では、負メニスカスレンズＬ９と両凸正レンズＬ１０は接合されていない。
【０１１８】
第４レンズ群Ｇ４は、像側に凸面を向けた正メニスカスレンズＬ１１と、両凹負レンズ１２と、で構成されている。
【０１１９】
第５レンズ群Ｇ５は、両凸正レンズＬ１３と、像側に凸面を向けた負メニスカスレンズＬ１４と、で構成されている。
【０１２０】
非球面は、負メニスカスレンズＬ３の両面と、両凸正レンズＬ７の両面と、両凸正レンズＬ１０の両面と、両凹負レンズ１２の像側面との、合計７面に設けられている。
【０１２１】
変倍時と合焦時における各レンズ群の動きは、実施例１のズームレンズと同じである。
【０１２２】
実施例７のズームレンズを図７に示す。実施例１のズームレンズとの相違点は、以下のとおりである。
【０１２３】
第１レンズ群Ｇ１では、レンズＬ２が、両凸正レンズになっている。
【０１２４】
第２レンズ群Ｇ２では、両凹負レンズＬ５と両凸正レンズＬ６とが接合されている。
【０１２５】
第３レンズ群Ｇ３では、レンズＬ８が物体側に凸面を向けた正メニスカスレンズ、レンズＬ９が両凸正レンズ、レンズＬ１０が両凹負レンズになっている。
【０１２６】
第４レンズ群Ｇ４では、レンズＬ１２が両凸正レンズになっている。
【０１２７】
第５レンズ群Ｇ５は、両凸正レンズＬ１４のみで構成されている。
【０１２８】
非球面は、負メニスカスレンズＬ４の両面と、正メニスカスレンズＬ８の両面と、両凸正レンズＬ１１の両面との、合計６面に設けられている。
【０１２９】
変倍時と合焦時における各レンズ群の動きは、実施例１のズームレンズと同じである。
【０１３０】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、広角は広角端、中間は中間焦点距離状態、望遠は望遠端、焦点距離はズームレンズ全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離にＦＢ（バックフォーカス）を加えたもの、ｆ１、ｆ２…は各レンズ群の焦点距離である。なお、ＦＢは、レンズ最終面から近軸像面までの距離を空気換算して表したものである。
【０１３１】
また、フォーカスデータは、無限遠物点から近距離物点へのフォーカシング時のデータである。近距離物点とは、物点から像点までの距離（物像間距離）が０．２５ｍのときの物点である。
【０１３２】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０１３３】
数値実施例１
単位ｍｍ
面データ
面番号       r           d        nd        νd
物面        ∞          ∞
1        182.0248     2.400    1.84666    23.78
2         87.8417     4.148    1.60311    60.64
3          ∞         0.150
4         62.0596     3.883    1.72916    54.68
5        226.0435    （可変）
6*       298.9904     1.500    1.80610    40.88
7*        14.4879     7.668
8        -25.2722     1.200    1.77250    49.60
9         83.5456     0.150
10         50.7017     3.311    1.92286    20.88
11        -47.3560     3.294
12        -18.1882     1.100    1.48749    70.23
13        -43.8608    （可変）
14（絞り）  ∞         1.500
15*        18.6553     4.964    1.49700    81.54
16*       -63.1764     5.244
17         21.7188     4.874    1.49700    81.54
18         32.4127     1.200    1.92286    20.88
19         14.7886     1.632
20*        15.1321     4.859    1.58313    59.38
21*       -44.0345    （可変）
22       -262.2626     2.050    1.84666    23.78
23        -33.0062     1.000    1.72916    54.68
24         17.1689    （可変）
25         30.4652     5.280    1.49700    81.54
26        -36.5007     0.363
27         71.3147     3.718    1.48749    70.23
28       -130.4071     1.500    1.90200    25.10
29        228.5548    10.0027
30          ∞         4.000    1.51633    64.14
31          ∞         0.800
像面（撮像面）∞
非球面データ
第６面
k=0
A4=1.5542E-05
第７面 
k=0.3199
A4=-1.3902E-05,A6=-3.7218E-08
第１５面
k=-0.3560
A4=-2.0358E-05,A6=-8.8225E-09,A8=-1.1013E-11
第１６面
k=0
A4=-2.3426E-06
第２０面
k=-0.4174
A4=-2.0888E-05,A6=2.0485E-08,A8=-3.0249E-11
第２１面
k=3.3450
A4=1.9632E-05
ズームデータ
広角      中間      望遠
焦点距離      12.27     21.97     39.20
Ｆｎｏ．       2.88      2.88      2.88
２ω          88.15°   53.82°   30.10°
ＩＨ          10.820    10.820    10.820
ＦＢ(in air)  13.441    13.441    13.441
全長(in air) 106.807   109.717   128.108
d5          0.7947    4.0667   22.3141
d13         21.1256    7.8959    1.5004
d21          1.3500    7.3990   13.2829
d24          3.1082    9.9266   10.5817
フォーカスデータ
広角      中間      望遠
移動方向       像側      像側      像側
移動量         0.590     1.587     4.761
各群焦点距離
f1=95.9581   f2=-12.8397   f3=20.5948   f4=-23.6581   f5=33.7708
【０１３４】
数値実施例２
単位ｍｍ
面データ
面番号       r           d        nd        νd
物面        ∞          ∞
1        402.8290     2.000    1.92286    20.88
2        130.2921     3.535    1.72916    54.68
3       2906.2339     0.100
4         54.9970     5.798    1.77250    49.60
5        211.4953    （可変）
6*       171.3646     1.500    1.80610    40.88
7*        12.4749     7.866
8        -23.1820     1.000    1.59282    68.63
9         46.1881     0.100
10         31.2674     7.576    2.00069    25.46
11        -80.2075     2.691
12        -17.1747     1.000    1.48749    70.23
13        -30.5038    （可変）
14（絞り）  ∞         1.000
15*        17.1223     6.927    1.49700    81.61
16*       -55.4253     4.917
17         18.4472     4.791    1.49700    81.54
18        -25.8502     1.000    1.73800    32.26
19         16.2702     2.404
20*        15.1109     3.626    1.58313    59.38
21*       -52.0293    （可変）
22        161.0226     1.000    1.48749    70.23
23         17.1999    （可変）
24          ∞         3.083    1.63980    34.46
25        -32.3340    11.2026
26          ∞         4.000    1.51633    64.14
27          ∞         0.800
像面（撮像面）∞
非球面データ
第６面
k=0
A4=6.3257E-06,A6=2.9586E-08,A8=-1.3884E-10,A10=2.3100E-13
第７面
k=-0.2106
A4=-4.2574E-06,A6=3.9977E-08,A8=6.3174E-10
第１５面
k=-0.2102
A4=-1.7046E-05,A6=-4.0879E-08,A8=6.3570E-11
第１６面
k=-0.8706
A4=-1.9028E-07,A6=-1.6238E-08,A8=-3.0427E-10,A10=2.5628E-12
第２０面
k=-0.0238
A4=-2.9632E-05,A6=6.7538E-08,A8=-1.0465E-10
第２１面
k=-7.4102
A4=4.5850E-05,A6=1.1735E-07
ズームデータ
広角      中間      望遠
焦点距離      12.25     22.46     39.15
Ｆｎｏ．       2.88      2.88      2.88
２ω          89.52°   50.87°   30.19°
ＩＨ          10.820    10.820    10.820
ＦＢ(in air)  14.641    14.641    14.641
全長(in air)  99.764   106.101   130.240
d5          0.6563    9.9959   25.8169
d13         17.6712    5.2811    2.0748
d21          0.9257    3.5932    1.3369
d23          3.9564   10.6765   24.4563
フォーカスデータ
広角      中間      望遠
移動方向       像側      像側      像側
移動量         0.988     2.458     4.505
各群焦点距離
f1=90.2294   f2=-14.7477   f3=20.8166   f4=-39.5923   f5=50.5378
【０１３５】
数値実施例３
単位ｍｍ
面データ
面番号       r           d        nd        νd
物面        ∞          ∞
1         51.8336     2.400    1.80518    25.42
2         39.6462     7.714    1.61800    63.33
3        219.9591    （可変）
4*       122.4799     1.500    1.74320    49.29
5*        12.4496     6.938
6        -24.3734     1.200    1.49700    81.54
7         19.5116     4.355    1.75520    27.51
8        -69.6015     1.882
9        -16.7022     1.100    1.77250    49.60
10        -32.0865    （可変）
11（絞り）  ∞         1.000
12*        29.9777     5.816    1.58313    59.38
13*       -67.2459     3.114
14        130.6893     4.356    1.49700    81.54
15        -23.9362     0.063
16         51.3215     1.200    1.80518    25.42
17         16.5023     7.777    1.49700    81.54
18*       -29.9311    （可変）
19*       190.4001     0.920    1.80610    40.88
20         13.1575     1.671    2.00272    19.32
21         17.0245    （可変）
22         41.9268    10.493    1.48749    70.23
23        -28.1005    11.8980
24          ∞         4.000    1.51633    64.14
25          ∞         0.800
像面（撮像面）∞
非球面データ
第４面
k=-0.0694
A4=1.5465E-05,A6=9.0982E-08,A8=-5.9141E-10,A10=1.5216E-12
第５面
k=0.1785
A4=-1.9529E-05,A6=-5.1527E-08,A8=1.4863E-09,A10=-1.8662E-11
第１２面
k=-2.8742
A4=-2.9944E-06,A6=-9.5769E-09,A8=-9.2746E-10,A10=1.2290E-13
第１３面
k=9.0052
A4=4.2067E-05,A6=5.9290E-09,A8=-1.0964E-09,A10=1.3267E-12
第１８面
k=-0.6700
A4=-2.1380E-06,A6=1.6908E-08,A8=9.5909E-11,A10=-9.5791E-13
第１９面
k=9.0261
A4=-5.2267E-06,A6=-6.1396E-08,A8=3.4378E-09,A10=-3.4511E-11
ズームデータ
広角      中間      望遠
焦点距離      12.25     21.89     39.12
Ｆｎｏ．       2.88      2.88      2.88
２ω          89.11°   53.70°   30.45°
ＩＨ          10.820    10.820    10.820
ＦＢ(in air)  15.336    15.336    15.336
全長(in air) 103.735   106.669   130.630
d3          0.8001    4.8157   26.9627
d10         18.8282    6.5905    1.0728
d18          1.8543    7.6449   12.9554
d21          3.4178    8.7826   10.8036
フォーカスデータ
広角      中間      望遠
移動方向       像側      像側      像側
移動量         0.578     1.579     4.501
各群焦点距離
f1=120.4132   f2=-12.4659   f3=18.9430   f4=-25.8494   f5=36.2945
【０１３６】
数値実施例４
単位ｍｍ
面データ
面番号       r           d        nd        νd
物面        ∞          ∞
1         58.1051     2.400    1.92286    18.90
2         43.3094     7.144    1.78800    47.37
3        189.3460    （可変）
4*       196.1239     1.500    1.74320    49.29
5*        12.5000     8.295
6        -23.1998     1.200    1.49700    81.54
7         23.1732     4.491    1.84666    23.78
8        -64.5591     1.555
9        -22.5326     1.100    2.00069    25.46
10        -42.2763    （可変）
11（絞り）  ∞         1.000
12*        28.6099     3.896    1.58313    59.38
13*      -149.8082     3.530
14         75.1445     4.091    1.49700    81.54
15        -32.4822     0.150
16         43.0742     1.000    1.80518    25.42
17         16.0902     8.254    1.49700    81.54
18*       -25.9149    （可変）
19*       231.2549     0.920    1.80610    40.88
20         13.3156     1.736    1.94595    17.98
21         18.1030    （可変）
22         59.1969     1.800    1.92286    18.90
23         40.2475     5.9 03   1.64000    60.08
24        -33.2831    13.4609
25          ∞         4.000    1.51633    64.14
26          ∞         0.800
像面（撮像面）∞
非球面データ
第４面
k=0
A4=2.5174E-05,A6=-4.1276E-08,A8=-2.7763E-12,A10=1.5368E-13
第５面
k=0.0466
A4=-2.8486E-07,A6=-4.2670E-08,A8=1.2852E-09,A10=-1.1918E-11
第１２面
k=-1.4129
A4=-1.6864E-06,A6=5.9052E-08,A8=-1.2963E-09,A10=-1.7099E-12
第１３面
k=0
A4=3.2969E-05,A6=3.0465E-08,A8=-1.2082E-09,A10=-2.6665E-12
第１８面
k=-1.1239
A4=4.4785E-06,A6=5.3666E-09,A8=3.0467E-11,A10=3.5774E-13
第１９面
k=0
A4=-5.4311E-06,A6=2.4674E-08,A8=7.9285E-10,A10=-6.3870E-12
ズームデータ
広角      中間      望遠
焦点距離      12.24     21.83     39.20
Ｆｎｏ．       2.88      2.88      2.88
２ω          88.78°   53.15°   30.05°
ＩＨ          10.820    10.820    10.820
ＦＢ(in air)  16.899    16.899    16.899
全長(in air) 105.920   106.468   129.386
d3          0.9821    5.0058   26.4528
d10         20.3546    6.7140    1.0026
d18          1.5000    7.1013   11.4467
d21          6.2198   10.7835   13.6202
フォーカスデータ
広角      中間      望遠
移動方向       像側      像側      像側
移動量         0.571     1.578     4.414
各群焦点距離
f1=111.5496   f2=-13.1125   f3=19.2725   f4=-26.6384   f5=37.0194
【０１３７】
数値実施例５
単位ｍｍ
面データ
面番号       r           d        nd        νd
物面        ∞          ∞
1         55.0572     2.400    1.92286    18.90
2         44.2744     7.101    1.69680    55.53
3        207.8490    （可変）
4*       159.5696     1.500    1.74320    49.29
5*        12.8384     7.332
6        -22.1355     1.200    1.49700    81.54
7         22.1355     4.241    1.75520    27.51
8        -56.8950     1.807
9        -16.7113     1.100    1.77250    49.60
10        -29.9316    （可変）
11（絞り）  ∞         1.000
12*        29.3834     4.596    1.58313    59.38
13*      -148.0986     3.530
14         91.1635     4.632    1.49700    81.54
15        -24.2108     0.130
16         42.3361     1.200    1.80518    25.42
17         15.6885     8.296    1.49700    81.54
18*       -32.0641    （可変）
19*       573.6706     0.920    1.80610    40.88
20         12.8813     2.041    1.94595    17.98
21         17.2342    （可変）
22         30.0105     1.395    2.00069    25.46
23         22.6466     7.173    1.58313    59.38
24        -36.2011    12.5585
25          ∞         4.000    1.51633    64.14
26          ∞         0.800
像面（撮像面）∞
非球面データ
第４面
k=-9.0073
A4=1.7086E-05,A6=7.3258E-08,A8=-5.0052E-10,A10=1.3518E-12
第５面
k=0.2022
A4=-2.0814E-05,A6=-1.0324E-07,A8=2.0273E-09,A10=-2.2396E-11
第１２面
k=-2.1360
A4=7.7286E-07,A6=-5.8809E-08,A8=-8.1816E-10,A10=-3.2776E-12
第１３面
k=8.4339
A4=4.0121E-05,A6=-3.1751E-08,A8=-1.2712E-09,A10=-5.4995E-13
第１８面
k=-0.7208
A4=5.6768E-07,A6=1.3061E-08,A8=1.1822E-11,A10=-1.1620E-14
第１９面
k=9.0337
A4=-1.7254E-06,A6=-4.0437E-08,A8=3.1029E-09,A10=-3.4898E-11
ズームデータ
広角      中間      望遠
焦点距離      12.25     21.92     39.10
Ｆｎｏ．       2.88      2.88      2.88
２ω          88.92°   53.84°   30.48°
ＩＨ          10.820    10.820    10.820
ＦＢ(in air)  15.996    15.997    15.997
全長(in air) 104.788   105.126   129.979
d3          0.8433    3.1723   26.5044
d10         19.7674    6.3586    1.0555
d18          1.8876    8.2567   13.0735
d21          4.6989    9.7482   11.7552
フォーカスデータ
広角      中間      望遠
移動方向       像側      像側      像側
移動量         0.557     1.565     4.431
各群焦点距離
f1=115.6677   f2=-12.7584   f3=19.2934   f4=-23.8727   f5=33.3897
【０１３８】
数値実施例６
単位ｍｍ
面データ
面番号       r           d        nd        νd
物面        ∞          ∞
1         64.2450     2.400    1.84666    23.78
2         42.8118     7.785    1.77250    49.60
3        228.7714    （可変）
4*       136.5007     1.500    1.80610    40.92
5*        13.5581     8.045
6        -26.5143     1.200    1.49700    81.54
7         30.9005     0.150
8         28.8989     3.960    1.84666    23.78
9       -116.0515     1.887
10        -20.9956     1.100    1.72916    54.68
11        -37.9263    （可変）
12（絞り）  ∞         1.500
13*        29.9636     3.847    1.74320    49.29
14*      -221.6927     3.129
15         22.3875     4.889    1.49700    81.54
16        -62.6960     0.150
17         68.0048     1.200    2.00069    25.46
18         17.4694     1.114
19*        16.7440     5.603    1.49700    81.54
20*       -23.8855    （可変）
21       -505.4659     2.129    1.84666    23.78
22        -25.5434     1.000    1.74320    49.29
23*        15.7082    （可変）
24         42.0268     7.068    1.64000    60.08
25        -23.8254     0.150
26        -29.7116     1.500    1.84666    23.78
27        -57.3284    11.2628
28          ∞         4.000    1.51633    64.14
29          ∞         0.800
像面（撮像面）∞
非球面データ
第４面
k=-30.3282
A4=1.6412E-05,A6=-1.5054E-08,A8=4.7817E-11,A10=3.1917E-15
第５面
k=0.2523
A4=-1.5553E-05,A6=-7.1448E-08,A8=-6.9036E-11,A10=-4.4021E-12
第１３面
k=-0.8439
A4=-1.9810E-05,A6=1.3073E-07,A8=-3.9374E-10
第１４面
k=0.0127
A4=-1.0891E-05,A6=2.1774E-07,A8=-6.3195E-10
第１９面
k=-0.9724
A4=-3.8175E-05,A6=2.2535E-07,A8=-4.1137E-11
第２０面
k=-0.3035
A4=2.5928E-06,A6=5.5275E-08,A8=3.9585E-10,A10=0.0000E+00
第２３面
k=0.1505
A4=1.6098E-06,A6=-8.1488E-08,A8=-9.6226E-11,A10=0.0000E+00
ズームデータ
広角      中間      望遠
焦点距離      12.24     21.83     39.20
Ｆｎｏ．       2.88      2.88      2.88
２ω          88.45°   53.75°   30.17°
ＩＨ          10.820    10.820    10.820
ＦＢ(in air)  14.701    14.701    14.701
全長(in air) 106.028   105.617   126.909
d3          0.7889    4.3136   26.9760
d11         22.7125    8.3799    1.4979
d20          1.3500    5.7892   10.3350
d23          5.1703   11.1275   12.0939
フォーカスデータ
広角      中間      望遠
移動方向       像側      像側      像側
移動量         0.469     1.216     3.533
各群焦点距離
f1=120.0865   f2=-13.6417   f3=18.6769   f4=-22.2439   f5=36.4729
【０１３９】
数値実施例７
単位ｍｍ
面データ
面番号       r           d        nd        νd
物面        ∞          ∞
1        500.0000     2.200    1.84666    23.78
2        160.0628     5.273    1.60311    60.64
3       -270.6063     0.150
4         63.0833     3.813    1.77250    49.60
5        103.9750    （可変）
6*        56.2074     1.500    1.80610    40.88
7*        11.8380     9.673
8        -21.4816     1.300    1.59282    68.63
9         23.3531     4.697    1.90366    31.32
10        -44.0463     1.890
11        -18.9038     1.000    1.53172    48.84
12        -36.7153    （可変）
13（絞り）  ∞         1.000
14*        17.6239     2.926    1.58313    59.38
15*       123.9330     8.450
16         18.3301     3.324    1.49700    81.54
17        -59.4100     1.000    1.90366    31.32
18         16.6820     1.212
19*        15.1130     3.778    1.58313    59.38
20*       -26.6135    （可変）
21         52.0812     2.874    1.59270    35.31
22      -2175.3816     1.000    1.72916    54.68
23         23.8370    （可変）
24        407.7758     3.568    1.75520    27.51
25        -90.9381    10.7964
36          ∞         4.000    1.51633    64.14
37          ∞         0.800
像面（撮像面）∞
非球面データ
第６面
k=7.1531
A4=-5.4481E-06,A6=1.8485E-08,A8=-7.2663E-11,A10=6.8327E-14
第７面
k=-0.1612
A4=-1.7099E-05,A6=-5.7089E-08,A8=2.9598E-10,A10=-3.6426E-12
第１４面
k=-1.0641
A4=5.0796E-06,A6=-2.1493E-08,A8=4.2219E-11
第１５面
k=-0.0406
A4=-1.0927E-05,A6=4.0710E-09,A8=-1.0459E-10
第１９面
k=-0.9004
A4=-3.1993E-05,A6=7.3434E-08,A8=1.4665E-10
第２０面
k=-5.9367
A4=-1.6404E-05,A6=6.0494E-08,A8=6.9852E-11
ズームデータ
広角      中間      望遠
焦点距離      12.24     24.30     49.20
Ｆｎｏ．       2.88      3.43      4.08
２ω          87.51°   47.00°   24.10°
ＩＨ          10.820    10.820    10.820
ＦＢ(in air)  14.234    14.234    14.234
全長(in air) 107.672   120.646   152.973
d1          0.7274   17.2131   42.1324
d12         23.7721    8.5457    0.9990
d20          1.0000    2.1329    2.0746
d23          7.3103   17.8920   32.9051
フォーカスデータ
広角      中間      望遠
移動方向       像側      像側      像側
移動量         1.152     2.851     6.981
各群焦点距離
f1=134.5341   f2=-16.2889   f3=22.5273   f4=-54.2240   f5=98.7628
【０１４０】
以上の実施例１〜７の収差図を、それぞれ図８〜図２１に示す。１つの実施例について、無限遠物体合焦時の収差図と近距離物点合焦時の収差図がある。このうち、図８、１０、１２、１４、１６、１８及び２０が、無限遠物体合焦時の収差図である。また、各図中、”ＦＩＹ”は最大像高を示す。
【０１４１】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０１４２】
また、（ｅ）、（ｇ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０１４３】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０１４４】
次に、各実施例における条件式（１）〜（１５）の値を掲げる。
実施例１     実施例２     実施例３     実施例４
(1)ν3p        81.54        81.61        81.54        81.54
(2)|f2|/FB      0.955        1.007        0.813        0.776
(3)f3/FB        1.532        1.422        1.235        1.1403
(4)|f4|/fw      1.928        3.233        2.110        2.176
(5)D3/fw        1.856        1.933        1.823        1.709
(6)d(A)/D3      0.230        0.208        0.139        0.169
(7)f3f/f3r      0.788        0.673        1.307        1.564
(8)ν1n        23.78        20.88        25.42        18.90
(9)n2p          1.92286      2.00069      1.75520      1.84666
(10)|f2|/ih     1.187        1.363        1.152        1.212
(11)f3/ih       1.903        1.924        1.751        1.781
(12)Fno(w)      2.88         2.88         2.88         2.88
(13)Fno(t)      2.88         2.88         2.88         2.88
(14)ft/fw       3.19         3.20         3.19         3.20
(15)fw/ih       1.13         1.13         1.13         1.13
実施例５     実施例６     実施例７
(1)ν3p        81.54        81.54        81.54
(2)|f2|/FB      0.798        0.928        1.144
(3)f3/FB        1.206        1.270        1.583
(4)|f4|/fw      1.948        1.817        4.430
(5)D3/fw        1.827        1.628        1.690
(6)d(A)/D3      0.158        0.157        0.408
(7)f3f/f3r      1.619        1.289        0.988
(8)ν1n        18.90        23.78        23.78
(9)n2p          1.75520      1.84666      1.90366
(10)|f2|/ih     1.179        1.261        1.505
(11)f3/ih       1.783        1.726        2.082
(12)Fno(w)      2.88         2.88         2.88
(13)Fno(t)      2.88         2.88         4.08
(14)ft/fw       3.19         3.20         4.02
(15)fw/ih       1.13         1.13         1.13
【０１４５】
図２２は、電子撮像装置としてのレンズ交換式カメラ、例えば、クイックリターンミラーをもたないタイプのカメラであるミラーレス一眼カメラの断面図である。図２９において、ミラーレス一眼カメラ１の鏡筒内には撮影光学系２が配置される。マウント部３は、撮影光学系２をミラーレス一眼カメラ１のボディに着脱可能とする。マウント部３としては、スクリュータイプのマウントやバヨネットタイプのマウント等が用いられる。この例では、バヨネットタイプのマウントを用いている。また、ミラーレス一眼カメラ１のボディには、撮像素子面４、バックモニタ５が配置されている。なお、撮像素子としては、小型のＣＣＤ又はＣＭＯＳ等が用いられている。
【０１４６】
そして、ミラーレス一眼カメラ１の撮影光学系２として、例えば上記実施例１〜７に示したズームレンズが用いられる。
【０１４７】
図２３、図２４は、本実施例のズームレンズを備えた撮像装置の構成の概念図を示す。図２３は撮像装置としてのミラーレス一眼カメラ４０の外観を示す前方斜視図、図２４は同後方斜視図である。このミラーレス一眼カメラ４０の撮影光学系４１に、本実施例のズームレンズが用いられている。
【０１４８】
この実施形態のミラーレス一眼カメラ４０は、撮影用光路４２上に位置する撮影光学系４１、シャッターボタン４５、液晶表示モニター４７等を含み、ミラーレス一眼カメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０１４９】
図２５は、ミラーレス一眼カメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１５０】
図２５に示すように、ミラーレス一眼カメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１５１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１５２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、ミラーレス一眼カメラ４０全体を制御する。
【０１５３】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１５４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１５５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１５６】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１５７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１５８】
このように構成されたミラーレス一眼カメラ４０は、変倍時や合焦時の動作音が小さく、暗所で撮影した画像のノイズが少なく、小型で高い光学性能が維持された撮像装置とすることが可能となる。
【産業上の利用可能性】
【０１５９】
以上のように、本発明に係るズームレンズは、光学系へのゴミの進入や変倍時の動作音が低減され、変倍域の全域での十分な明るさの確保と大きな変倍比の確保を行いつつも、小型で高い光学性能が維持されたズームレンズに適している。また、本発明に係る撮像装置は、変倍時や合焦時の動作音が小さく、暗所で撮影した画像のノイズが少なく、小型で高い光学性能が維持された撮像装置に適している。
【符号の説明】
【０１６０】
Ｇ１…第１レンズ群
Ｇ２…第２レンズ群
Ｇ３…第３レンズ群
Ｇ４…第４レンズ群
Ｇ５…第５レンズ群
Ｓ…明るさ（開口）絞り
Ｃ…平行平板
Ｉ…像面
１…ミラーレス一眼カメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…ミラーレス一眼カメラ
４１…撮影光学系
４２…撮影用光路
４５…シャッターボタン
４７…液晶表示モニター
４９…ＣＣＤ
【図１】
2014106243.tif 000003
【図２】
2014106243.tif 000004
【図３】
2014106243.tif 000005
【図４】
2014106243.tif 000006
【図５】
2014106243.tif 000007
【図６】
2014106243.tif 000008
【図７】
2014106243.tif 000009
【図８】
2014106243.tif 000010
【図９】
2014106243.tif 000011
【図１０】
2014106243.tif 000012
【図１１】
2014106243.tif 000013
【図１２】
2014106243.tif 000014
【図１３】
2014106243.tif 000015
【図１４】
2014106243.tif 000016
【図１５】
2014106243.tif 000017
【図１６】
2014106243.tif 000018
【図１７】
2014106243.tif 000019
【図１８】
2014106243.tif 000020
【図１９】
2014106243.tif 000021
【図２０】
2014106243.tif 000022
【図２１】
2014106243.tif 000023
【図２２】
2014106243.tif 000024
【図２３】
2014106243.tif 000025
【図２４】
2014106243.tif 000026
【図２５】
2014106243.tif 000027